【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
住宅に近接して路面下に設置され、内部を２次熱媒体が循環する融雪パイプを有する融雪部と、
この融雪部の前記融雪パイプへ前記２次熱媒体を循環させるポンプと、前記２次熱媒体と圧縮機で圧縮した冷凍サイクルの高温高圧な冷媒とが熱交換を行う融雪負荷側熱交換器と、冷凍サイクルの副絞り装置とを有する融雪用熱交換ユニットと、
空調負荷側熱交換器を有し、居住空間の空調を行う空調用室内ユニットと、
前記圧縮機と、外気と熱交換する熱源側熱交換器と、前記冷媒を低圧低温にする絞り装置と、室外機制御部とを有する室外ユニットと、  
当該ヒートポンプ式融雪空調装置の使用者が前記融雪用熱交換ユニットの融雪運転を指令する融雪用リモコンと、を備え、
前記圧縮機と、前記融雪負荷側熱交換器と、前記副絞り装置と、前記空調負荷側熱交換器と、前記絞り装置と、前記熱源側熱交換器とを順に接続して前記冷媒が循環する冷凍サイクルを構成し、
前記使用者が前記融雪用リモコンにより融雪運転を指令した場合、前記室外機制御部が、前記融雪負荷側熱交換器にて前記２次熱媒体が加熱され、前記ポンプにより加熱された前記２次熱媒体が前記融雪パイプを循環する前記融雪用熱交換ユニットによる前記路面の融雪運転を開始することを特徴とするヒートポンプ式融雪空調装置。
【請求項２】
住宅に近接して路面下に設置され、内部を２次熱媒体が循環する融雪パイプを有する融雪部と、
この融雪部の前記融雪パイプへ前記２次熱媒体を循環させるポンプと、前記２次熱媒体と圧縮機で圧縮した冷凍サイクルの高温高圧な冷媒とが熱交換を行う融雪負荷側熱交換器と、冷凍サイクルの副絞り装置とを有する融雪用熱交換ユニットと、
空調負荷側熱交換器を有し、居住空間の空調を行う空調用室内ユニットと、
前記圧縮機と、外気と熱交換する熱源側熱交換器と、前記冷媒を低圧低温にする絞り装置と、室外機制御部とを有する室外ユニットと、
水分と雪温とにより降雪を検出する降雪センサと、を備え、
前記圧縮機と、前記融雪負荷側熱交換器と、前記副絞り装置と、前記空調負荷側熱交換器と、前記絞り装置と、前記熱源側熱交換器とを順に接続して前記冷媒が循環する冷凍サイクルを構成し、
前記降雪センサが降雪を検出した場合、前記室外機制御部が、前記融雪負荷側熱交換器にて前記２次熱媒体が加熱され、前記ポンプにより加熱された前記２次熱媒体が前記融雪パイプを循環する前記融雪用熱交換ユニットによる前記路面の融雪運転を開始することを特徴とするヒートポンプ式融雪空調装置。
【請求項３】
前記空調用室内ユニットに指令を行う空調用リモコンを備え、前記融雪運転時に前記使用者が前記空調用リモコンにより暖房運転を指令した場合、前記室外機制御部は、前記融雪運転を優先させる制御を行うことを特徴とする請求項１または２記載のヒートポンプ式融雪空調装置。
【請求項４】
前記空調用室内ユニットは送風機を有し、前記室外機制御部が前記融雪運転を優先させる制御を行う場合、前記室外機制御部は冷凍サイクルの前記副絞り装置の開度を、前記空調負荷側熱交換器の冷媒の温度と室温との温度差がないように設定し、且つ前記空調用室内ユニットの送風機を停止することを特徴とする請求項３記載のヒートポンプ式融雪空調装置。
【請求項５】
前記融雪用熱交換ユニットの２次熱媒体流出口と、前記融雪部の２次熱媒体流入口とを接続する２次熱媒体配管を有し、この２次熱媒体配管に前記２次熱媒体を加熱する補助ヒーターを設けたことを特徴とする請求項１または２記載のヒートポンプ式融雪空調装置。
【請求項６】
前記融雪用熱交換ユニットは、前記２次熱媒体の温度を検出する２次熱媒体温度検出手段を有し、前記室外機制御部は、前記２次熱媒体温度検出手段が検出する２次熱媒体の温度により前記補助ヒーターの入切を制御することを特徴とする請求項５記載のヒートポンプ式融雪空調装置。
【請求項７】
前記室外機制御部は、前記融雪運転開始時に、所定時間前記補助ヒーターを動作させることを特徴とする請求項５記載のヒートポンプ式融雪空調装置。
【請求項８】
住宅に近接して路面下に設置され、内部を２次熱媒体が循環する融雪パイプを有する融雪部と、
この融雪部の前記融雪パイプへ前記２次熱媒体を循環させるポンプと、前記２次熱媒体と圧縮機で圧縮した冷凍サイクルの高温高圧な冷媒とが熱交換を行う融雪負荷側熱交換器とを有する融雪用熱交換ユニットと、
空調負荷側熱交換器を有し、居住空間の空調を行う空調用室内ユニットと、
前記圧縮機と、外気と熱交換する熱源側熱交換器と、前記冷媒を低圧低温にする絞り装置とを有する室外ユニットと、を備え、
前記圧縮機と、前記融雪負荷側熱交換器と、前記空調負荷側熱交換器と、前記絞り装置と、前記熱源側熱交換器とを順に接続して前記冷媒が循環する冷凍サイクルを構成し、
前記空調用室内ユニットによる居住空間の空調の他に、前記融雪負荷側熱交換器にて前記２次熱媒体が加熱され、前記ポンプにより加熱された前記２次熱媒体が前記融雪パイプを循環する前記融雪用熱交換ユニットによる前記の融雪運転が可能であることを特徴とするヒートポンプ式融雪空調装置。
【請求項９】
住宅に近接して路面下に設置され、内部を２次熱媒体が循環する融雪パイプを有する融雪部と、
この融雪部の前記融雪パイプへ前記２次熱媒体を循環させるポンプと、前記２次熱媒体と圧縮機で圧縮した冷凍サイクルの高温高圧な冷媒とが熱交換を行う融雪負荷側熱交換器とを有する融雪用熱交換ユニットと、
空調負荷側熱交換器を有し、居住空間の空調を行う空調用室内ユニットと、
前記圧縮機と、外気と熱交換する熱源側熱交換器と、前記空調負荷側熱交換器に接続される絞り装置Ａと、前記融雪負荷側熱交換器に接続される絞り装置Ｂとを有する室外ユニットと、を備え、
前記圧縮機と、前記空調負荷側熱交換器と、前記絞り装置Ａと、前記熱源側熱交換器とを順に接続するとともに、前記空調負荷側熱交換器と前記絞り装置Ａとが接続される回路に、前記融雪負荷側熱交換器と前記熱源側熱交換器の間に前記絞り装置Ｂが配置するよう前記融雪負荷側熱交換器と前記絞り装置Ｂとが接続される回路を並列に接続して前記冷媒が循環する冷凍サイクルを構成し、
前記空調用室内ユニットによる居住空間の暖房運転と、前記融雪用熱交換ユニットによる前記路面の融雪運転と同時に行えることを特徴とするヒートポンプ式融雪空調装置。
【手続補正２】
【補正対象書類名】明細書
【補正対象項目名】００１０
【補正方法】変更
【補正の内容】
【００１０】
この発明に係るヒートポンプ式融雪空調装置は、住宅に近接して路面下に設置され、内部を２次熱媒体が循環する融雪パイプを有する融雪部と、この融雪部の融雪パイプへ２次熱媒体を循環させるポンプと、２次熱媒体と圧縮機で圧縮した冷凍サイクルの高温高圧な冷媒とが熱交換を行う融雪負荷側熱交換器と、冷凍サイクルの副絞り装置とを有する融雪用熱交換ユニットと、空調負荷側熱交換器を有し、居住空間の空調を行う空調用室内ユニットと、圧縮機と、外気と熱交換する熱源側熱交換器と、冷媒を低圧低温にする絞り装置と、室外機制御部とを有する室外ユニットと、ヒートポンプ式融雪空調装置の使用者が融雪用熱交換ユニットの融雪運転を指令する融雪用リモコンと、を備え、圧縮機と、融雪負荷側熱交換器と、副絞り装置と、空調負荷側熱交換器と、絞り装置と、熱源側熱交換器とを順に接続して前記冷媒が循環する冷凍サイクルを構成し、使用者が融雪用リモコンにより融雪運転を指令した場合、室外機制御部が、融雪負荷側熱交換器にて２次熱媒体が加熱され、ポンプにより加熱された２次熱媒体が融雪パイプを循環する融雪用熱交換ユニットによる路面の融雪運転を開始することを特徴とする。